(57)【要約】    【課題】  振動補償（防振）のための機構を具備し、装置全体の小型化を可能とし、かつ振動補償時に良好な画像を得ることができる防振機能を有したズームレンズ及びそれを有する撮像装置を得ること。    【解決手段】  物体側より像側へ順に、正の屈折力の第１レンズ群、負の屈折力の第２レンズ群、ズーミングに際して移動する１群以上のレンズ群を有し、全ズーム範囲にて全体として正の屈折力の中間レンズユニット、正の屈折力の後方レンズ群から構成され、各レンズ群が移動するズームレンズであって、  該中間レンズユニットは、光軸に対し垂直方向の成分を持つように移動して全系が形成する像を光軸と垂直方向に変位させる負の屈折力のレンズ部を有しており、  該後方レンズ群の焦点距離ｆｒｐ、  該後方レンズ群中の１つの正レンズの材料のアッベ数νｄｐ、  望遠端におけるズームレンズの焦点距離ｆｔ等を適切に設定したこと。【選択図】図１
2008015251.tif 000002
【特許請求の範囲】
【請求項１】
物体側より像側へ順に、正の屈折力の第１レンズ群、負の屈折力の第２レンズ群、ズーミングに際して移動する１群以上のレンズ群を有し、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
該中間レンズユニットは、光軸に対し垂直方向の成分を持つように移動して全系が形成する像を光軸と垂直方向に変位させる負の屈折力のレンズ部を有しており、
該後方レンズ群の焦点距離をｆｒｐ、
該後方レンズ群中の１つの正レンズの材料のアッベ数をνｄｐ、
望遠端におけるズームレンズの焦点距離をｆｔ
とするとき、
０．０５＜ｆｒｐ／ｆｔ＜０．３
７２＜νｄｐ＜９７
なる条件を満足することを特徴とするズームレンズ。
【請求項２】
物体側より像側へ順に、正の屈折力の第１レンズ群、負の屈折力の第２レンズ群、ズーミングに際して移動する１群以上のレンズ群を有し、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
広角端から望遠端へのズーミングにおける該後方レンズ群の光軸方向の移動量をＭｒｐ、
該後方レンズ群の焦点距離をｆｒｐ、
該後方レンズ群中の１つの正レンズの材料のアッベ数をνｄｐ、
望遠端におけるズームレンズの焦点距離をｆｔ
とするとき、
０．０５＜ｆｒｐ／ｆｔ＜０．３
７２＜νｄｐ＜９７
−０．３＜Ｍｒｐ／ｆｔ＜−０．０５
なる条件を満足することを特徴とするズームレンズ。
【請求項３】
物体側より像側へ順に、正の屈折力の第１レンズ群、負の屈折力の第２レンズ群、ズーミングに際して移動する１群以上のレンズ群から構成され、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
該中間レンズユニットは、物体側から像側へ順に正の屈折力の第ｒｐ１レンズ群、負の屈折力の第ｒｎ１レンズ群を有し、
該第ｒｎ１レンズ群は光軸に対し垂直方向の成分を持つように移動して全系が形成する像を光軸と垂直方向に変位させる負の屈折力の第Ｇｉｓレンズ部を有しており、
該後方レンズ群の焦点距離をｆｒｐ、
該第Ｇｉｓレンズ部の焦点距離をｆｉｓ、
望遠端におけるズームレンズの焦点距離をｆｔ
とするとき、
０．０５＜ｆｒｐ／ｆｔ＜０．３
−０．４＜ｆｉｓ／ｆｔ＜−０．１
−０．３＜Ｍｒｐ／ｆｔ＜−０．０５
なる条件を満足することを特徴とするズームレンズ。
【請求項４】
前記第ｒｎ１レンズ群の焦点距離をｆｒｎ１とするとき
１．１＜ｆｉｓ／ｆｒｎ１＜３．０
なる条件を満足することを特徴とする請求項３のズームレンズ。
【請求項５】
物体側より像側へ順に、正の屈折力の第１レンズ群、負の屈折力の第２レンズ群、ズーミングに際して移動する１群以上のレンズ群から構成され、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
該中間レンズユニットは、物体側から像側へ順に正の屈折力の第ｒｐ１レンズ群、負の屈折力の第ｒｎ１１レンズ群、負の屈折力の第ｒｎ１２レンズ群を有し、該第ｒｎ１１レンズ群は、光軸に対し垂直方向の成分を持つように移動して全系が形成する像を光軸と垂直方向に変位させており、
該後方レンズ群の焦点距離をｆｒｐ、
該第ｒｎ１１レンズ群の焦点距離をｆｒｎ１１、
望遠端におけるズームレンズの焦点距離をｆｔ
とするとき、
０．０５＜ｆｒｐ／ｆｔ＜０．３
−０．４＜ｆｒｎ１１／ｆｔ＜−０．１
なる条件を満足することを特徴とするズームレンズ。
【請求項６】
前記後方レンズ群は、１以上の正レンズと１枚の負レンズを有し、該１以上の正レンズのうち材料の分散が最も低い正レンズの焦点距離をｆｐ、
該後方レンズ群の焦点距離をｆｒｐ、
とするとき
０．０５＜ｆｐ／ｆｒｐ＜２．０
なる条件を満足することを特徴とする請求項１から５のいずれか１項のズームレンズ。
【請求項７】
前記後方レンズ群は１以上の正レンズと１枚の負レンズを有し、該負レンズの材料のアッベ数をνｄｎとするとき
３４＜νｄｎ＜６０
なる条件を満足することを特徴とする請求項１から６のいずれか１項のズームレンズ。
【請求項８】
前記第２レンズ群の焦点距離をｆ２、望遠端におけるズームレンズの焦点距離をｆｔとするとき
−０．１５＜ｆ２／ｆｔ＜−０．０４
なる条件を満足することを特徴とする請求項１から７のいずれか１項のズームレンズ。
【請求項９】
前記第１レンズ群の焦点距離をｆ１、望遠端におけるズームレンズの焦点距離をｆｔとするとき
０．３＜ｆ１／ｆｔ＜０．８
なる条件を満足することを特徴とする請求項１から８のいずれか１項のズームレンズ。
【請求項１０】
前記第２レンズ群は光軸方向に移動してフォーカスを行うことを特徴とする請求項１から９のいずれか１項に記載のズームレンズ。
【請求項１１】
請求項１から１０のいずれか１項に記載のズームレンズと、該ズームレンズによって形成される像を撮像する固体撮像素子とを有していることを特徴とする撮像装置。
【発明の詳細な説明】
【技術分野】
【０００１】
本発明はズームレンズに関し、例えば写真用カメラや、ビデオカメラ、デジタルスチルカメラ等の撮影光学系として好適なものである。
【背景技術】
【０００２】
バックフォーカス（無限遠物点におけるレンズ最終面から近軸像面までの距離）が比較的長く、高ズーム比のズームレンズとして、最も物体側に正の屈折力のレンズ群を配置したポジティブリード型のズームレンズが知られている。
【０００３】
このうち、物体側より順に、正、負、正、負、正の屈折力の５つのレンズ群で構成される、５群ズームレンズが知られている（特許文献２）。
【０００４】
又、物体側より順に、正、負、正、正、負、正の屈折力の６つのレンズ群で構成される、６群ズームレンズが知られている（特許文献３）。
【０００５】
一方、ズームレンズに手ぶれなどの偶発的な振動が伝わると撮影画像にブレが生じる。従来、この偶発的な振動による画像のぶれを補償する機構（防振機構）を具備し、高画質化を図ったズームレンズが種々と提案されている。
【０００６】
このうち、物体側から像側へ順に、正、負、正、正の屈折力のレンズ群より成る４群ズームレンズにおいて、第３レンズ群の一部のレンズ群を光軸と垂直方向に移動させることにより像ぶれ補正（防振）を行うズームレンズが知られている（特許文献４）。
【０００７】
又、物体側から像側へ順に、正、負、正、正、負の屈折力のレンズ群より成る５群ズームレンズにおいて、第２レンズ群の一部のレンズ群を光軸と垂直方向に移動させて像ブレを補正するズームレンズが知られている（特許文献５）。
【０００８】
又、物体側から像側へ順に、正、負、正、負、正の屈折力のレンズ群より成る５群ズームレンズにおいて、第４レンズ群を光軸と垂直方向に移動させて画像のぶれを補償するズームレンズが知られている（特許文献６）。
【特許文献１】特開２００４−２１２５１２号公報
【特許文献２】特開２００５−１０７２６２号公報
【特許文献３】特開２００５−２４２０１５号公報
【特許文献４】特開平０９−２３０２３６号公報
【特許文献５】特開平０９−２３０２３７号公報
【特許文献６】特開平１０−０９０６０１号公報
【発明の開示】
【発明が解決しようとする課題】
【０００９】
近年、デジタル一眼レフカメラ用のズームレンズは高ズーム比化と撮影される像の高画質化、そして所定の長さのバックフォーカスを有することが強く求められている。
【００１０】
一般にズームレンズにおいて、各レンズ群の屈折力を強めれば所定のズーム比を得るための各レンズ群の移動量が少なくなる為、レンズ全長の短縮化を図りつつ、高ズーム比化が容易となる。
【００１１】
しかしながら単に各レンズ群の屈折力を強めると、ズーミング（変倍）に伴う収差変動が大きくなり、特に高ズーム比化を図る際には全ズーム範囲にわたり良好なる光学性能を得るのが難しくなってくる。
【００１２】
また、十分な長さのバックフォーカスを確保しつつ高ズーム比化を図ると、レンズ系全体が広角端においてレトロフォーカス型が強くなり易く、広角端における倍率色収差が悪化してくる。
【００１３】
一方、ズームレンズの一部のレンズ群を防振レンズ群とし、光軸に対して垂直方向に平行偏心させて画像ぶれの補正を行うズームレンズにおいては、比較的容易に画像ぶれを補正することができる利点がある。
【００１４】
しかしながらズームレンズのレンズ構成及び防振のために移動させる防振レンズ群のレンズ構成が適切でないと、防振時において、偏心収差の発生量が多くなり、光学性能が低下してくる。
【００１５】
特に偏心色収差の発生が多いと防振時の光学性能が大きく低下してくる。
【００１６】
このため、防振機能を有するズームレンズでは、全体のレンズ構成や防振用のレンズ群の構成を適切に設定することが重要になってくる。
【００１７】
本発明は、高ズーム比で所定の長さのバックフォーカスを有し、しかも全ズーム範囲にわたり高い光学性能を有したズームレンズ及びそれを有する撮像装置の提供を目的とする。
【００１８】
この他、本発明は振動補償（防振）の為の機構を具備し、振動補償時に良好な画像を得ることができる防振機能を有したズームレンズの提供を目的とする。
【課題を解決するための手段】
【００１９】
本発明のズームレンズは、
◎物体側より像側へ順に、正の屈折力の第１レンズ群、負の屈折力の第２レンズ群、ズーミングに際して移動する１群以上のレンズ群を有し、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
該中間レンズユニットは、光軸に対し垂直方向の成分を持つように移動して全系が形成する像を光軸と垂直方向に変位させる負の屈折力のレンズ部を有しており、
該後方レンズ群の焦点距離をｆｒｐ、
該後方レンズ群中の１つの正レンズの材料のアッベ数をνｄｐ、
望遠端におけるズームレンズの焦点距離をｆｔ
とするとき、
０．０５＜ｆｒｐ／ｆｔ＜０．３
７２＜νｄｐ＜９７
なる条件を満足することを特徴としている。
【００２０】
◎物体側より像側へ順に、正の屈折力の第１レンズ群、負の屈折力の第２レンズ群、ズーミングに際して移動する１群以上のレンズ群を有し、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
広角端から望遠端へのズーミングにおける該後方レンズ群の光軸方向の移動量をＭｒｐ、
該後方レンズ群の焦点距離をｆｒｐ、
該後方レンズ群中の１つの正レンズの材料のアッベ数をνｄｐ、
望遠端におけるズームレンズの焦点距離をｆｔ
とするとき、
０．０５＜ｆｒｐ／ｆｔ＜０．３
７２＜νｄｐ＜９７
−０．３＜Ｍｒｐ／ｆｔ＜−０．０５
なる条件を満足することを特徴としている。
【００２１】
◎物体側より像側へ順に、正の屈折力の第１レンズ群、負の屈折力の第２レンズ群、ズーミングに際して移動する１群以上のレンズ群から構成され、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
該中間レンズユニットは、物体側から像側へ順に正の屈折力の第ｒｐ１レンズ群、負の屈折力の第ｒｎ１レンズ群を有し、
該第ｒｎ１レンズ群は光軸に対し垂直方向の成分を持つように移動して全系が形成する像を光軸と垂直方向に変位させる負の屈折力の第Ｇｉｓレンズ部を有しており、
該後方レンズ群の焦点距離をｆｒｐ、
該第Ｇｉｓレンズ部の焦点距離をｆｉｓ、
望遠端におけるズームレンズの焦点距離をｆｔ
とするとき、
０．０５＜ｆｒｐ／ｆｔ＜０．３
−０．４＜ｆｉｓ／ｆｔ＜−０．１
−０．３＜Ｍｒｐ／ｆｔ＜−０．０５
なる条件を満足することを特徴としている。
【００２２】
◎物体側より像側へ順に、正の屈折力の第１レンズ群、負の屈折力の第２レンズ群、ズーミングに際して移動する１群以上のレンズ群から構成され、全ズーム範囲にて全体として正の屈折力の中間レンズユニット、正の屈折力の後方レンズ群から構成され、広角端に対し、望遠端での該第１レンズ群と第２レンズ群との間隔が広く、該第２レンズ群と該中間レンズユニットとの間隔が狭く、該中間レンズユニットと後方レンズ群との間隔が狭くなるように各レンズ群が移動するズームレンズであって、
該中間レンズユニットは、物体側から像側へ順に正の屈折力の第ｒｐ１レンズ群、負の屈折力の第ｒｎ１１レンズ群、負の屈折力の第ｒｎ１２レンズ群を有し、該第ｒｎ１１レンズ群は、光軸に対し垂直方向の成分を持つように移動して全系が形成する像を光軸と垂直方向に変位させており、
該後方レンズ群の焦点距離をｆｒｐ、
該第ｒｎ１１レンズ群の焦点距離をｆｒｎ１１、
望遠端におけるズームレンズの焦点距離をｆｔ
とするとき、
０．０５＜ｆｒｐ／ｆｔ＜０．３
−０．４＜ｆｒｎ１１／ｆｔ＜−０．１
なる条件を満足することを特徴としている。
【発明の効果】
【００２３】
本発明によれば、高ズーム比で所定の長さのバックフォーカスを有し、しかも全ズーム範囲にわたり高い光学性能を有したズームレンズが得られる。
【発明を実施するための最良の形態】
【００２４】
【実施例】
【００２５】
以下、本発明のズームレンズ及びそれを有する撮像装置の実施例について説明する。
【００２６】
図１は本発明の実施例１のズームレンズの広角端（短焦点距離端）におけるレンズ断面図、図２、図３はそれぞれ実施例１のズームレンズの広角端、望遠端（長焦点距離端）における収差図である。
【００２７】
以下、収差図において（Ａ）、（Ｂ）は各々基準状態（物体距離無限遠）の縦収差図と横収差図である。又、収差図において（Ｃ）は無限遠物体を画角０．３度分に相当する像位置を変化させたときの（防振状態）の横収差図である。
【００２８】
図４は本発明の実施例２のズームレンズの広角端におけるレンズ断面図、図５、図６はそれぞれ実施例２のズームレンズの広角端、望遠端における収差図である。
【００２９】
図７は本発明の実施例３のズームレンズの広角端におけるレンズ断面図、図８、図９はそれぞれ実施例３のズームレンズの広角端、望遠端における収差図である。
【００３０】
図１０は本発明の実施例４のズームレンズの広角端におけるレンズ断面図、図１１、図１２はそれぞれ実施例４のズームレンズの広角端、望遠端における収差図である。
【００３１】
図１３は本発明の実施例５のズームレンズの広角端におけるレンズ断面図、図１４、図１５はそれぞれ実施例５のズームレンズの広角端、望遠端における収差図である。
【００３２】
図１６は本発明の実施例６のズームレンズの広角端におけるレンズ断面図、図１７、図１８はそれぞれ実施例６のズームレンズの広角端、望遠端における収差図である。
【００３３】
図１９は本発明のズームレンズを備えるカメラ（撮像装置）の要部概略図である。各実施例のズームレンズはビデオカメラやデジタルカメラ、そして銀塩フィルムカメラ等の撮像装置に用いられる撮影レンズ系である。
【００３４】
レンズ断面図において、左方が被写体側（前方）で、右方が像側（後方）である。
【００３５】
レンズ断面図において、Ｌ１は正の屈折力（光学的パワー＝焦点距離の逆数）の第１レンズ群、Ｌ２は負の屈折力の第２レンズ群である。ＬＣはズーミングに際して移動する１群以上のレンズ群から構成され、全ズーム範囲にて全体として正の屈折力の中間レンズユニットである。ＬＲは正の屈折力の後方レンズ群である。
【００３６】
尚、以下の説明においてレンズ群とは、単一又は複数のレンズより成る集合体であり、ズーミングに際して隣接するレンズ群とは独立に移動するものをいう。
【００３７】
各実施例のズームレンズは、広角端に対し、望遠端での第１レンズ群Ｌ１と第２レンズ群Ｌ２との間隔が広く、第２レンズ群Ｌ２と中間レンズユニットＬＣとの間隔が狭くなる。又、中間レンズユニットと後方レンズ群との間隔が狭くなるように各レンズ群が移動してズーミングを行っている。
【００３８】
中間レンズユニットＬＣは光軸に対し垂直方向の成分を持つように移動して全系が形成する像を光軸と垂直方向に変位させる負の屈折力のレンズ部（防振レンズ部）を有している。
【００３９】
各実施例においてフォーカスは第２レンズ群Ｌ２を光軸に沿って移動させて行っている。
【００４０】
次に、図１、図１６の実施例１、６のレンズ構成について説明する。
【００４１】
図１、図１６のレンズ断面図において、Ｌ１は正の屈折力の第１レンズ群、Ｌ２は負の屈折力の第２レンズ群、ＬＣは正の屈折力の中間レンズユニット、ＬＲは正の屈折力の後方レンズ群である。
【００４２】
中間レンズユニットＬＣは、物体側から像側へ順に正の屈折力のレンズ群（第ｒｐ１レンズ群）ｒｐ１、負の屈折力のレンズ群（第ｒｎ１１レンズ群）ｒｎ１１、負の屈折力のレンズ群（第ｒｎ１２レンズ群）ｒｎ１２を有している。
【００４３】
レンズ群ｒｎ１１は、正レンズと負レンズとの接合レンズより成り、光軸に対し垂直方向の成分を持つように移動して全系が形成する像を光軸と垂直方向に変位させる防振レンズ部（ＧＩＳ）である。
【００４４】
開口絞りＳＰはレンズ群ｒｐ１の物体側に位置している。
【００４５】
広角端に比べ望遠端において第１レンズ群Ｌ１と第２レンズ群Ｌ２との間隔が広くなる。又、第２レンズ群Ｌ２とレンズ群ｒｐ１との間隔が狭く、レンズ群ｒｐ１とレンズ群ｒｎ１１との間隔が広く、レンズ群ｒｎ１１とレンズ群ｒｎ１２との間隔が広くなる。又、レンズ群ｒｎ１２と後方レンズ群ＬＲとの間隔が狭くなるように各レンズ群が物体側へ移動してズーミングを行っている。
【００４６】
ズーミングに際してレンズ群ｒｐ１と後方レンズ群ＬＲは一体的に移動している。開口絞りＳＰはズーミングに際してレンズ群ｒｐ１と一体的に移動している。
【００４７】
後方レンズ群ＬＲの焦点距離をｆｒｐとする。レンズ部Ｇｉｓの焦点距離をｆｉｓとする。望遠端におけるズームレンズの焦点距離をｆｔとする。このとき、
０．０５＜ｆｒｐ／ｆｔ＜０．３      ‥‥‥（１）
−０．４＜ｆｒｎ１１／ｆｔ＜−０．１    ‥‥‥（４’）
なる条件を満足している。
【００４８】
又、広角端から望遠端へのズーミングにおける後方レンズ群ＬＲの光軸方向の移動量をＭｒｐとする。
【００４９】
但し、移動量Ｍｒｐの符号は物体側へ移動するときを負と、像側へ移動するときを正とする。
【００５０】
後方レンズ群ＬＲ中の１つの正レンズの材料のアッベ数をνｄｐとする。このとき
７２＜νｄｐ＜９７                  ‥‥‥（２）
−０．３＜Ｍｒｐ／ｆｔ＜−０．０５  ‥‥‥（３）
なる条件を満足している。
【００５１】
図４、図７、図１０の実施例２、３、４のレンズ構成について説明する。図４、図７、図１０のレンズ断面図において、Ｌ１は正の屈折力の第１レンズ群、Ｌ２は負の屈折力の第２レンズ群、ＬＣは正の屈折力の中間レンズユニット、ＬＲは正の屈折力の後方のレンズ群である。
【００５２】
中間レンズユニットＬＣは物体側から像側へ順に正の屈折力のレンズ群ｒｐ１、負の屈折力のレンズ群ｒｎ１を有している。
【００５３】
レンズ群ｒｎ１は、光軸に対し垂直方向の成分を持つように移動して全系が形成する像を光軸と垂直方向に変位させる負の屈折力のレンズ部（第Ｇｉｓレンズ群）Ｇｉｓを有している。レンズ部Ｇｉｓは正レンズと負レンズとの接合レンズより成っている。開口絞りＳＰはレンズ群ｒｐ１の物体側に位置している。
【００５４】
広角端に比べ望遠端において、第１レンズ群Ｌ１と第２レンズ群Ｌ２との間隔が広くなる。又、第２レンズ群Ｌ２とレンズ群ｒｐ１との間隔が狭く、レンズ群ｒｐ１とレンズ群ｒｎ１との間隔が広く、レンズ群ｒｎ１と後方レンズ群ＬＲとの間隔が狭くなるように、各レンズ群が物体側へ移動してズーミングを行っている。
【００５５】
ズーミングに際してレンズ群ｒｐ１と後方レンズ群ＬＲは一体的に移動している。
【００５６】
開口絞りＳＰは、ズーミングに際してレンズ群ｒｐ１と一体的に移動している。
【００５７】
後方レンズ群ＬＲの焦点距離をｆｒｐとする。レンズ部Ｇｉｓの焦点距離をｆｉｓとする。望遠端におけるズームレンズの焦点距離をｆｔとする。このとき、
０．０５＜ｆｒｐ／ｆｔ＜０．３      ‥‥‥（１）
−０．４＜ｆｉｓ／ｆｔ＜−０．１    ‥‥‥（４）
なる条件を満足している。
【００５８】
又、レンズ群ｒｎ１の焦点距離をｆｒｎ１とするとき
１．１＜ｆｉｓ／ｆｒｎ１＜３．０    ‥‥‥（５）
なる条件を満足している。
【００５９】
又、広角端から望遠端へのズーミングにおける後方レンズ群ＬＲの光軸方向の移動量をＭｒｐとする。
【００６０】
後方レンズ群ＬＲ中の１つの正レンズの材料のアッベ数をνｄｐとする。
【００６１】
７２＜νｄｐ＜９７                      ‥‥‥（２）
−０．３＜Ｍｒｐ／ｆｔ＜−０．０５      ‥‥‥（３）
なる条件のうち１以上を満足している。
【００６２】
図１３の実施例５のレンズ構成について説明する。
【００６３】
図１３のレンズ断面図において、Ｌ１は正の屈折力の第１レンズ群、Ｌ２は負の屈折力の第２レンズ群、ＬＣは正の屈折力の中間レンズユニット、ＬＲは正の屈折力の後方レンズ群である。
【００６４】
中間レンズユニットＬＲは光軸に対し垂直方向の成分を持つように移動して全系が形成する像を変位させる負の屈折力のレンズ部Ｇｉｓを有している。
【００６５】
レンズ部Ｇｉｓは正レンズと負レンズの接合レンズより成っている。開口絞りＳＰは中間レンズユニットＬＣの物体側に位置している。
【００６６】
広角端に比べ望遠端において第１レンズ群Ｌ１と第２レンズ群Ｌ２との間隔が広くなる。又、第２レンズ群Ｌ２と中間レンズユニットＬＣとの間隔が狭く、中間レンズユニットＬＣと後方レンズ群ＬＲとの間隔が狭くなるように各レンズ群と中間レンズユニットＬＣが物体側へ移動してズーミングを行っている。
【００６７】
開口絞りＳＰはズーミングに際して中間レンズユニットＬＣと一体的に移動している。
【００６８】
広角端から望遠端へのズーミングにおける後方レンズ群ＬＲの光軸方向の移動量をＭｒｐとする。
【００６９】
後方レンズ群ＬＲの焦点距離をｆｒｐとする。後方レンズ群ＬＲ中の１つの正レンズの材料のアッベ数をνｄｐとする。望遠端におけるズームレンズの焦点距離をｆｔとする。このとき、
０．０５＜ｆｒｐ／ｆｔ＜０．３      ‥‥‥（１）
７２＜νｄｐ＜９７                  ‥‥‥（２）
−０．３＜Ｍｒｐ／ｆｔ＜−０．０５  ‥‥‥（３）
なる条件のうち１以上を満足している。
【００７０】
レンズ部Ｇｉｓの焦点距離をｆｉｓとする。このとき、
−０．４＜ｆｉｓ／ｆｔ＜−０．１    ‥‥‥（４）
なる条件を満足している。
【００７１】
又、各実施例においては、次の条件のうち１以上を満足している。
【００７２】
後方レンズ群ＬＲは、１以上の正レンズと１枚の負レンズを有し、１以上の正レンズのうち材料の分散が最も低い正レンズの焦点距離をｆｐ、負レンズの材料のアッベ数をνｄｎとする。
【００７３】
第１レンズ群Ｌ１の焦点距離をｆ１、第２レンズ群Ｌ２の焦点距離をｆ２とする。
【００７４】
このとき
０．０５＜ｆｐ／ｆｒｐ＜２．０        ‥‥‥（６）
３４＜νｄｎ＜６０                    ‥‥‥（７）
−０．１５＜ｆ２／ｆｔ＜−０．０４    ‥‥‥（８）
０．３＜ｆ１／ｆｔ＜０．８            ‥‥‥（９）
なる条件のうち１以上を満足している。
【００７５】
次に前述した各条件式の技術的な意味について説明する。
【００７６】
各実施例では、最も像側に正の屈折力の後方レンズ群ＬＲの屈折力を強めて、広角端においてレトロフォーカス型を形成し、十分な長さのバックフォーカスを確保している。しかしながら、最も像側の後方レンズ群ＬＲの屈折力を強めると広角端における倍率色収差が悪化する。そこで各実施例では、条件式（１）、（２）を満足することにより、所定の長さのバックフォーカスを確保しつつ、後方レンズ群ＬＲ中の正レンズの材質を適切に設定することで良好な光学性能を実現している。
【００７７】
条件式（１）は後方レンズ群ＬＲの焦点距離と望遠端における全系の焦点距離の比に関し、主に十分な長さのバックフォーカスを確保しつつ良好な光学性能を維持するためのものである。
【００７８】
条件式（１）の下限値を超えると後方レンズ群ＬＲの屈折力が強くなり過ぎて歪曲収差と像面湾曲が増大し、これらを補正するのが困難となるため良くない。
【００７９】
また、上限値を越えて後方レンズ群ＬＲの屈折力が弱くなり過ぎると、特に広角端においてバックフォーカスを確保するのが困難となり、また、ズーミングにおける各レンズ群の移動量が増大しレンズ系が大型化するので良くない。
【００８０】
条件式（２）は後方レンズ群ＬＲの中で少なくとも１つの正レンズの材質のアッベ数を規定したものであり、特に広角端における倍率色収差を良好にするためのものである。
【００８１】
条件式（２）の下限値を超えると特に広角端における倍率色収差が正側に増大し、これを補正するのが困難となるので良くない。
【００８２】
また、上限値を越えると特に広角端における倍率色収差が負側に増大し、これを補正するのが困難となるので良くない。
【００８３】
条件式（３）は広角端から望遠端へのズーミングの際の後方レンズ群ＬＲの移動量と望遠端における全系の焦点距離の比に関し、レンズ系全体の小型化と高ズーム比化のバランスを図るものである。
【００８４】
条件式（３）の下限値を超えると後方レンズ群ＬＲのズーミングにおける移動量が増大するため特に望遠端における光学全長が増大するため良くない。また、上限値を越えると移動量が減少し、後方レンズ群ＬＲの変倍分担が減り高ズーム比化が困難となるので良くない。
【００８５】
条件式（４）は、実施例２〜５において防振用のレンズ部Ｇｉｓの焦点距離と望遠端における全系の焦点距離の比に関し、防振用のレンズ部Ｇｉｓの防振敏感度を適切に設定しつつ良好な光学性能を得るためのものである。
【００８６】
条件式（４）の下限値を超えるとレンズ部Ｇｉｓの屈折力が弱くなり過ぎて、防振敏感度が低くなり、防振時のレンズ部Ｇｉｓの変位量が増大するので良くない。また、上限値を越えるとレンズ部Ｇｉｓの屈折力が強くなり過ぎて、特に防振時に発生する偏心コマ収差の補正が困難となる。また、防振敏感度が高くなり過ぎて防振時のレンズ部Ｇｉｓの制御が困難となるので良くない。
【００８７】
尚、実施例１、６では条件式（４）は条件式（４’）に相当し、レンズ部Ｇｉｓはレンズ群ｒｎ１１に相当する。条件式（４’）の技術的意味は条件式（４）と同じである。
【００８８】
条件式（５）は実施例２、３、４に関するものである。
【００８９】
条件式（５）は防振用のレンズ部Ｇｉｓの焦点距離とレンズ群ｒｎ１の焦点距離の比に関し、特に防振敏感度を適切に設定しつつ良好な光学性能を得るためのものである。
【００９０】
条件式（５）の上限値を越えるとレンズ群ｒｎ１に対してレンズ部Ｇｉｓの屈折力が弱くなり過ぎて防振敏感度が低くなり、防振時のレンズ部Ｇｉｓの変位量が増大するので良くない。
【００９１】
また、下限値を越えるとレンズ群ｒｎ１に対してレンズ部Ｇｉｓの屈折力が強くなり過ぎて、特に防振時に発生する偏心コマ収差の補正が困難となる。また、防振敏感度が高くなり過ぎて防振時のレンズ部Ｇｉｓの制御が困難となるので良くない。
【００９２】
条件式（６）は後方レンズ群ＬＲの焦点距離と後方レンズ群ＬＲ中、最も低分散の材質からなる正レンズＧＰの焦点距離の比に関し、主に倍率色収差と像面湾曲をバランス良く補正するためのものである。
【００９３】
条件式（６）の下限値を超えると正レンズＧＰの屈折力が強くなり過ぎて、特に広角端における像面湾曲が増大し補正困難となるので良くない。また、上限値を越えると正レンズＧＰの屈折力が弱くなり過ぎて、低分散の材質を用いて倍率色収差を補正する効果が少なくなり、特に広角端において倍率色収差が負側に増大するので良くない。
【００９４】
条件式（７）は後方レンズ群ＬＲ中の最も像面側に配置された負レンズＧｎの材質のアッベ数を規定したものであり、主に広角端における倍率色収差を補正するためのものである。
【００９５】
条件式（７）の下限値を越えると、広角端における倍率色収差が正側に増大し、これを補正するのが困難となるので良くない。また、下限値を越えると、広角端における倍率色収差が負側に増大し、これを補正するのが困難となるので良くない。
【００９６】
条件式（８）は、第２レンズ群Ｌ２の焦点距離と望遠端における全系の焦点距離の比に関し、良好な光学性能を得つつレンズ系全体の小型化を図るためのものである。
【００９７】
条件式（８）の下限値を超えて第２レンズ群Ｌ２の屈折力が弱くなり過ぎると、広角端においてレンズ系全体のレトロフォーカス型が弱くなり、長いバックフォーカスを確保するのが困難となるので良くない。
【００９８】
また、第２レンズ群Ｌ２は変倍分担が大きいので屈折力が弱くなると高ズーム比化が困難となるので良くない。また、上限値を越えて、第２レンズ群Ｌ２の屈折力が強くなり過ぎると特に広角端における像面湾曲と歪曲収差をバランス良く補正することが困難となるので良くない。
【００９９】
又、第２レンズ群Ｌ２の焦点距離が条件式（８）を満足する程度に屈折力が強くなると、フォーカシングにおける第２レンズ群Ｌ２の繰出量が少なくなるので好ましい。
【０１００】
条件式（９）は第１レンズ群Ｌ１の焦点距離と望遠端における全系の焦点距離の比に関し、レンズ系全体の小型化と良好な光学性能を得るためのものである。
【０１０１】
条件式（９）の下限を超えて第１レンズ群Ｌ１の屈折力が強くなり過ぎると、特に望遠端における球面収差が補正不足となるので良くない。また、上限値を越えて第１レンズ群Ｌ１の屈折力が弱くなり過ぎると変倍における第１レンズ群Ｌ１の移動量が増大し、レンズ系が大型化するので良くない。
【０１０２】
尚、各実施例において更に好ましくは、前述した条件式（１）〜（９）、（４’）の数値範囲を次の如く設定するのが良い。
【０１０３】
０．１＜ｆｒｐ／ｆｔ＜０．２５          ‥‥‥（１ａ）
８０＜νｄｐ＜９７                      ‥‥‥（２ａ）
−０．２５＜Ｍｒｐ／ｆｔ＜−０．１      ‥‥‥（３ａ）
−０．３５＜ｆｉｓ／ｆｔ＜−０．１３    ‥‥‥（４ａ）
−０．３５＜ｆｒｎ１１／ｆｔ＜−０．１３‥‥‥（４’ａ）
１．２＜ｆｉｓ／ｆｒｎ１＜２．５        ‥‥‥（５ａ）
０．６＜ｆｐ／ｆｒｐ＜１．５            ‥‥‥（６ａ）
３６＜νｄｎ＜５５                      ‥‥‥（７ａ）
−０．１１＜ｆ２／ｆｔ＜−０．０５      ‥‥‥（８ａ）
０．３５＜ｆ１／ｆｔ＜０．７            ‥‥‥（９ａ）   
次に、本発明のズームレンズを用いた一眼レフカメラシステムの実施形態を、図１９を用いて説明する。図１９において、１０は一眼レフカメラ本体、１１は本発明によるズームレンズを搭載した交換レンズである。
【０１０４】
１２は交換レンズ１１を通して得られる被写体像を記録するフィルムや固体撮像素子などの記録手段である。
【０１０５】
１３は交換レンズ１１からの被写体像を観察するファインダー光学系、１４は交換レンズ１１からの被写体像を記録手段１２とファインダー光学系１３に切り替えて伝送するための回動するクイックリターンミラーである。
【０１０６】
ファインダー像で被写体像を観察する場合は、クイックリターンミラー１４を介してピント板１５に結像した被写体像をペンタプリズム１６で正立像としたのち、接眼光学系１７で拡大して観察する。
【０１０７】
撮影時にはクイックリターンミラー１４が矢印方向に回動して被写体像は記録手段１２に結像して記録される。１８はサブミラー、１９は焦点検出装置である。
【０１０８】
このように本発明のズームレンズを一眼レフカメラ交換レンズ等の光学機器に適用することにより、高い光学性能を有した光学機器が実現できる。
【０１０９】
尚、本発明はクイックリターンミラーのない一眼レフカメラにも同様に適用することができる。
【０１１０】
以下に、実施例１から６に各々対応する数値実施例１から６を示す。各数値実施例において、ｉは物体側からの面の順番を示し、Ｒｉは各面の曲率半径、Ｄｉは第ｉ面と第ｉ面＋１面との間の部材肉厚又は空気間隔、Ｎｉ、νｉはそれぞれｄ線に対する屈折率、アッベ数を示す。非球面形状は光軸からの高さＨの位置での光軸方向の変位を面頂点を基準にしてＸとするとき、
【０１１１】
【数１】
2008015251.tif 000003
【０１１２】
で表わされる。
【０１１３】
但し、Ｒは近軸曲率半径、Ａ、Ｂ、Ｃ、Ｄ、Ｅ、Ｆは非球面係数である。
【０１１４】
又、［ｅ−Ｘ］は［×１０−Ｘ］を意味している。ｆは焦点距離、ＦｎｏはＦナンバー、Ｈは、近軸像面上での像高を表す。又前述の各条件式と数値実施例における諸数値との関係を表−１に示す。
【０１１５】
数値実施例１
ｆ＝ 18.60〜 192.00  Ｆｎｏ＝ 3.52 〜 5.85  ２ω＝72.6 〜 8.1
R 1 =   89.769      D 1 =  1.70      N 1 = 1.846660      ν 1 = 23.9
R 2 =   57.586      D 2 =  8.55      N 2 = 1.496999      ν 2 = 81.5
R 3 = -445.084      D 3 =  0.15
R 4 =   49.297      D 4 =  4.54      N 3 = 1.603112      ν 3 = 60.6
R 5 =  115.481      D 5 =  可変
* R 6 =   39.105      D 6 =  0.05      N 4 = 1.516400      ν 4 = 52.2
R 7 =   43.236      D 7 =  1.15      N 5 = 1.804000      ν 5 = 46.6
R 8 =   11.637      D 8 =  6.19
R 9 =  -41.956      D 9 =  1.00      N 6 = 1.834807      ν 6 = 42.7
R10 =   40.531      D10 =  0.13
R11 =   19.617      D11 =  4.45      N 7 = 1.846660      ν 7 = 23.9
R12 =  -32.642      D12 =  0.40
R13 =  -25.574      D13 =  0.90      N 8 = 1.882997      ν 8 = 40.8
R14 =   44.778      D14 =  可変
R15 =    絞り       D15 =  0.59
R16 =   24.884      D16 =  0.80      N 9 = 1.805181      ν 9 = 25.4
R17 =   15.220      D17 =  4.25      N10 = 1.487490      ν10 = 70.2
R18 =  -47.844      D18 =  0.12
* R19 =   30.455      D19 =  3.05      N11 = 1.487490      ν11 = 70.2
R20 =  -59.065      D20 =  可変
R21 =  -53.973      D21 =  1.70      N12 = 1.846660      ν12 = 23.9
R22 =  -19.278      D22 =  0.85      N13 = 1.717004      ν13 = 47.9
R23 =   45.709      D23 =  可変
R24 =  -15.139      D24 =  0.90      N14 = 1.772499      ν14 = 49.6
R25 =  -21.730      D25 =  可変
R26 =   49.761      D26 =  5.03      N15 = 1.583126      ν15 = 59.4
* R27 =  -19.986      D27 =  0.20
R28 =   75.995      D28 =  5.70      N16 = 1.496999      ν16 = 81.5
R29 =  -16.551      D29 =  1.25      N17 = 1.834000      ν17 = 37.2
R30 = -228.192
＼焦点距離     18.60    58.65    192.00
可変間隔＼
D 5             1.72    28.76     50.63
D14            21.44    11.06      3.51
D20             4.67     9.28     11.77
D23             2.81     2.87      3.29
D25             8.02     3.34      0.43
非球面係数
6面 :  Ａ=0.00000e+00  Ｂ=-6.88515e-06  Ｃ=1.12679e-08
Ｄ=-4.74649e-10  E=3.26089e-12 F=-7.10506e-15
19面 :  Ａ=0.00000e+00  Ｂ=-6.56788e-07  Ｃ=1.20029e-08
Ｄ=-1.10145e-10  E=0.00000e+00 F=0.00000e+00
27面 : ｋ=-6.36581e-01  Ａ=０  Ｂ=3.10394e-06  Ｃ=5.69153e-09
Ｄ=-1.17025e-10 E=1.65775e-13 F=-1.97327e-16
数値実施例２  
ｆ＝ 18.60〜 192.00  Ｆｎｏ＝ 3.62 〜 6.23  ２ω＝72.6 〜 8.1
R 1 =   89.461      D 1 =  1.55      N 1 = 1.846660      ν 1 = 23.9
R 2 =   58.885      D 2 =  8.50      N 2 = 1.496999      ν 2 = 81.5
R 3 = -421.441      D 3 =  0.15
R 4 =   50.256      D 4 =  4.32      N 3 = 1.603112      ν 3 = 60.6
R 5 =  104.305      D 5 =  可変
* R 6 =   39.105      D 6 =  0.05      N 4 = 1.516400      ν 4 = 52.2
R 7 =   47.233      D 7 =  1.15      N 5 = 1.804000      ν 5 = 46.6
R 8 =   11.874      D 8 =  6.53
R 9 =  -42.131      D 9 =  1.00      N 6 = 1.834807      ν 6 = 42.7
R10 =   49.410      D10 =  0.15
R11 =   20.219      D11 =  4.70      N 7 = 1.846660      ν 7 = 23.9
R12 =  -35.707      D12 =  0.23
R13 =  -31.226      D13 =  0.90      N 8 = 1.882997      ν 8 = 40.8
R14 =   38.685      D14 =  可変
R15 =    絞り       D15 =  0.58
R16 =   24.913      D16 =  0.80      N 9 = 1.805181      ν 9 = 25.4
R17 =   15.228      D17 =  3.50      N10 = 1.487490      ν10 = 70.2
R18 =  -35.784      D18 =  0.15
R19 =   26.590      D19 =  2.30      N11 = 1.487490      ν11 = 70.2
R20 =  -72.424      D20 =  可変
R21 =  -43.112      D21 =  1.70      N12 = 1.846660      ν12 = 23.9
R22 =  -17.123      D22 =  0.85      N13 = 1.673506      ν13 = 41.5
R23 =   45.709      D23 =  2.33
R24 =  -15.359      D24 =  0.90      N14 = 1.712995      ν14 = 53.9
R25 =  -32.502      D25 =  可変
R26 =  102.912      D26 =  4.22      N15 = 1.583126      ν15 = 59.4
* R27 =  -17.104      D27 =  0.19
R28 =   79.119      D28 =  5.70      N16 = 1.496999      ν16 = 81.5
R29 =  -14.328      D29 =  1.25      N17 = 1.834807      ν17 = 42.7
R30 = -117.678      D30 =  1.00
R31 =  -39.286      D31 =  2.00      N18 = 1.487490      ν18 = 70.2
R32 =  -31.432
＼焦点距離     18.60    59.39    192.00
可変間隔＼
D 5             1.79    30.12     53.17
D14            24.73    12.13      3.48
D20             5.07     8.88     11.05
D25             6.52     2.70      0.53
非球面係数
6面 :  Ａ=0.00000e+00  Ｂ=-1.01380e-05  Ｃ=8.38266e-09
Ｄ=-5.59245e-10  E=3.41480e-12 F=-6.96063e-15
27面 : ｋ=-2.41555e-01  Ａ=０  Ｂ=7.47928e-06  Ｃ=1.13008e-09
Ｄ=-2.03460e-10 E=6.58968e-13 F=2.31317e-15
数値実施例３  
ｆ＝ 18.60〜 190.00  Ｆｎｏ＝ 3.62 〜 6.20  ２ω＝72.6 〜 8.2
R 1 =   89.543      D 1 =  1.55      N 1 = 1.846660      ν 1 = 23.9
R 2 =   58.704      D 2 =  8.50      N 2 = 1.496999      ν 2 = 81.5
R 3 = -414.639      D 3 =  0.15
R 4 =   49.683      D 4 =  5.08      N 3 = 1.603112      ν 3 = 60.6
R 5 =  106.385      D 5 =  可変
* R 6 =   39.105      D 6 =  0.05      N 4 = 1.516400      ν 4 = 52.2
R 7 =   46.711      D 7 =  1.15      N 5 = 1.804000      ν 5 = 46.6
R 8 =   11.810      D 8 =  6.63
R 9 =  -40.202      D 9 =  1.00      N 6 = 1.834807      ν 6 = 42.7
R10 =   48.130      D10 =  0.15
R11 =   20.032      D11 =  5.09      N 7 = 1.846660      ν 7 = 23.9
R12 =  -34.638      D12 =  0.35
R13 =  -29.698      D13 =  0.90      N 8 = 1.882997      ν 8 = 40.8
R14 =   38.065      D14 =  可変
R15 =    絞り       D15 =  0.92
R16 =   25.368      D16 =  0.80      N 9 = 1.805181      ν 9 = 25.4
R17 =   15.199      D17 =  3.50      N10 = 1.487490      ν10 = 70.2
R18 =  -35.355      D18 =  0.15
R19 =   26.513      D19 =  2.30      N11 = 1.487490      ν11 = 70.2
R20 =  -77.107      D20 =  可変
R21 =  -44.181      D21 =  1.70      N12 = 1.846660      ν12 = 23.9
R22 =  -16.797      D22 =  0.85      N13 = 1.696542      ν13 = 41.9
R23 =   45.709      D23 =  2.42
R24 =  -15.548      D24 =  0.90      N14 = 1.712995      ν14 = 53.9
R25 =  -26.487      D25 =  可変
R26 =   98.159      D26 =  4.36      N15 = 1.583126      ν15 = 59.4
* R27 =  -18.399      D27 =  0.19
R28 =  126.691      D28 =  5.70      N16 = 1.438750      ν16 = 95.0
R29 =  -14.791      D29 =  1.25      N17 = 1.804398      ν17 = 39.6
R30 =  -52.123
＼焦点距離     18.60    57.73    190.00
可変間隔＼
D 5             1.14    28.21     51.31
D14            21.96    10.75      2.69
D20             5.03     9.45     12.03
D25             7.60     3.17      0.59
非球面係数
6面 :  Ａ=0.00000e+00  Ｂ=-1.00987e-05  Ｃ=4.69166e-09
Ｄ=-3.05264e-10  E=1.48443e-12 F=-2.56565e-15
27面 : ｋ=-3.78417e-01  Ａ=０  Ｂ=9.97785e-07  Ｃ=-3.51999e-09
Ｄ=-1.26563e-10 E=7.57633e-14 F=-5.96396e-16
数値実施例４  
ｆ＝ 18.60〜 192.00  Ｆｎｏ＝ 3.62 〜 6.23  ２ω＝72.6 〜 8.1
R 1 =   89.461      D 1 =  1.55      N 1 = 1.846660      ν 1 = 23.9
R 2 =   58.885      D 2 =  8.50      N 2 = 1.496999      ν 2 = 81.5
R 3 = -421.441      D 3 =  0.15
R 4 =   50.256      D 4 =  4.32      N 3 = 1.603112      ν 3 = 60.6
R 5 =  104.305      D 5 =  可変
* R 6 =   39.105      D 6 =  0.05      N 4 = 1.516400      ν 4 = 52.2
R 7 =   47.233      D 7 =  1.15      N 5 = 1.804000      ν 5 = 46.6
R 8 =   11.874      D 8 =  6.53
R 9 =  -42.131      D 9 =  1.00      N 6 = 1.834807      ν 6 = 42.7
R10 =   49.410      D10 =  0.15
R11 =   20.219      D11 =  4.70      N 7 = 1.846660      ν 7 = 23.9
R12 =  -35.707      D12 =  0.23
R13 =  -31.226      D13 =  0.90      N 8 = 1.882997      ν 8 = 40.8
R14 =   38.685      D14 =  可変
R15 =    絞り       D15 =  0.58
R16 =   24.913      D16 =  0.80      N 9 = 1.805181      ν 9 = 25.4
R17 =   15.228      D17 =  3.50      N10 = 1.487490      ν10 = 70.2
R18 =  -35.784      D18 =  0.15
R19 =   26.590      D19 =  2.30      N11 = 1.487490      ν11 = 70.2
R20 =  -72.424      D20 =  可変
R21 =  -43.112      D21 =  1.70      N12 = 1.846660      ν12 = 23.9
R22 =  -17.123      D22 =  0.85      N13 = 1.673506      ν13 = 41.5
R23 =   45.709      D23 =  2.33
R24 =  -15.359      D24 =  0.90      N14 = 1.712995      ν14 = 53.9
R25 =  -32.502      D25 =  可変
R26 =  102.912      D26 =  4.22      N15 = 1.583126      ν15 = 59.4
* R27 =  -17.104      D27 =  0.19
R28 =   79.119      D28 =  5.70      N16 = 1.496999      ν16 = 81.5
R29 =  -14.328      D29 =  1.25      N17 = 1.834807      ν17 = 42.7
R30 = -117.678      D30 =  1.00
R31 =  -39.286      D31 =  2.00      N18 = 1.487490      ν18 = 70.2
R32 =  -31.432
＼焦点距離     18.60    59.39    192.00
可変間隔＼
D 5             1.79    30.12     53.17
D14            24.73    12.13      3.48
D20             5.07     8.88     11.05
D25             6.52     2.70      0.53
非球面係数
6面 :  Ａ=0.00000e+00  Ｂ=-1.01380e-05  Ｃ=8.38266e-09
Ｄ=-5.59245e-10  E=3.41480e-12 F=-6.96063e-15
27面 : ｋ=-2.41555e-01  Ａ=０  Ｂ=7.47928e-06  Ｃ=1.13008e-09
Ｄ=-2.03460e-10 E=6.58968e-13 F=2.31317e-15
数値実施例５  
ｆ＝ 18.60〜 150.05  Ｆｎｏ＝ 3.62 〜 5.70  ２ω＝72.6 〜 10.4
R 1 =   86.804      D 1 =  1.55      N 1 = 1.846660      ν 1 = 23.9
R 2 =   60.219      D 2 = 11.50      N 2 = 1.496999      ν 2 = 81.5
R 3 = -1278.737      D 3 =  0.15
R 4 =   53.838      D 4 =  6.11      N 3 = 1.603112      ν 3 = 60.6
R 5 =  116.128      D 5 =  可変
* R 6 =   39.105      D 6 =  0.05      N 4 = 1.516400      ν 4 = 52.2
R 7 =   39.623      D 7 =  1.15      N 5 = 1.804000      ν 5 = 46.6
R 8 =   10.924      D 8 =  5.93
R 9 =  -37.506      D 9 =  1.00      N 6 = 1.834807      ν 6 = 42.7
R10 =   49.633      D10 =  0.15
R11 =   19.410      D11 =  4.05      N 7 = 1.846660      ν 7 = 23.9
R12 =  -35.042      D12 =  0.26
R13 =  -28.647      D13 =  0.90      N 8 = 1.882997      ν 8 = 40.8
R14 =   43.833      D14 =  可変
R15 =    絞り       D15 =  0.44
R16 =   24.594      D16 =  0.80      N 9 = 1.805181      ν 9 = 25.4
R17 =   15.117      D17 =  3.50      N10 = 1.487490      ν10 = 70.2
R18 =  -54.279      D18 =  0.15
* R19 =   24.335      D19 =  2.30      N11 = 1.487490      ν11 = 70.2
R20 = -123.776      D20 =  4.93
R21 =  -40.285      D21 =  1.70      N12 = 1.846660      ν12 = 23.9
R22 =  -15.580      D22 =  0.85      N13 = 1.668729      ν13 = 37.6
R23 =   45.709      D23 =  2.37
R24 =  -17.433      D24 =  0.90      N14 = 1.712995      ν14 = 53.9
R25 =  -21.603      D25 =  可変
R26 =  105.718      D26 =  3.84      N15 = 1.583126      ν15 = 59.4
* R27 =  -23.546      D27 =  0.19
R28 =  145.289      D28 =  5.70      N16 = 1.496999      ν16 = 81.5
R29 =  -14.949      D29 =  1.25      N17 = 1.834000      ν17 = 37.2
R30 =  -43.427
＼焦点距離     18.60    51.81    150.05
可変間隔＼
D 5             1.03    30.55     54.58
D14            19.65     9.82      3.38
D25             6.21     3.10      1.02
非球面係数
6面 :  Ａ=0.00000e+00  Ｂ=-4.18311e-06  Ｃ=-1.92225e-08
Ｄ=6.25813e-10  E=-8.18116e-12 F=2.72191e-14
19面 :  Ａ=0.00000e+00  Ｂ=-3.44811e-06  Ｃ=-6.23955e-08
Ｄ=4.91894e-10  E=0.00000e+00 F=0.00000e+00
27面 : ｋ=-5.44790e-01  Ａ=０  Ｂ=-2.46639e-06  Ｃ=-1.51795e-08
Ｄ=-1.03032e-10 E=1.99296e-14 F=1.27512e-15
数値実施例６  
ｆ＝ 20.00〜 222.73  Ｆｎｏ＝ 3.62 〜 6.47  ２ω＝68.7 〜 7.0
R 1 =   89.782      D 1 =  1.70      N 1 = 1.805181      ν 1 = 25.4
R 2 =   57.571      D 2 =  8.00      N 2 = 1.496999      ν 2 = 81.5
R 3 = -502.581      D 3 =  0.15
R 4 =   50.662      D 4 =  4.41      N 3 = 1.569070      ν 3 = 71.3
R 5 =  117.089      D 5 =  可変
* R 6 =   39.105      D 6 =  0.05      N 4 = 1.516400      ν 4 = 52.2
R 7 =   45.335      D 7 =  1.15      N 5 = 1.804000      ν 5 = 46.6
R 8 =   12.066      D 8 =  5.59
R 9 =  -45.669      D 9 =  1.00      N 6 = 1.834807      ν 6 = 42.7
R10 =   38.998      D10 =  0.13
R11 =   18.699      D11 =  4.50      N 7 = 1.846660      ν 7 = 23.9
R12 =  -32.455      D12 =  0.48
R13 =  -24.450      D13 =  0.90      N 8 = 1.882997      ν 8 = 40.8
R14 =   43.222      D14 =  可変
R15 =    絞り       D15 =  0.52
R16 =   24.416      D16 =  0.80      N 9 = 1.805181      ν 9 = 25.4
R17 =   15.205      D17 =  3.80      N10 = 1.496999      ν10 = 81.5
R18 =  -47.899      D18 =  0.12
* R19 =   34.489      D19 =  2.60      N11 = 1.487490      ν11 = 70.2
R20 =  -54.169      D20 =  可変
R21 =  -48.205      D21 =  1.70      N12 = 1.846660      ν12 = 23.9
R22 =  -19.051      D22 =  0.85      N13 = 1.717004      ν13 = 47.9
R23 =   45.709      D23 =  可変
R24 =  -14.733      D24 =  0.90      N14 = 1.772499      ν14 = 49.6
R25 =  -21.770      D25 =  可変
R26 =   48.973      D26 =  4.92      N15 = 1.571351      ν15 = 53.0
* R27 =  -18.761      D27 =  0.20
R28 =   68.001      D28 =  5.78      N16 = 1.496999      ν16 = 81.5
R29 =  -17.108      D29 =  1.25      N17 = 1.834000      ν17 = 37.2
R30 = -645.011
＼焦点距離     20.00    63.90    222.73
可変間隔＼
D 5             3.70    31.32     54.51
D14            22.94    12.20      3.42
D20             5.06     9.68     12.15
D23             2.69     2.75      3.18
D25             7.89     3.22      0.40
非球面係数
6面 :  Ａ=0.00000e+00  Ｂ=-1.00054e-05  Ｃ=-3.64976e-08
Ｄ=1.84043e-10  E=-2.20584e-13 F=1.06809e-15
19面 :  Ａ=0.00000e+00  Ｂ=-2.59768e-06  Ｃ=-9.48448e-09
Ｄ=-1.28590e-10  E=0.00000e+00 F=0.00000e+00
27面 : ｋ=-4.47305e-01  Ａ=０  Ｂ=8.68243e-06  Ｃ=-6.69346e-09
Ｄ=1.07853e-10 E=1.70841e-14 F=-2.60912e-15
【０１１６】
【表１】
2008015251.tif 000004
以上のように、本発明によれば、高いズーム比を持ちながら全ズーム域にわたって良好な光学性能を維持し、振動補償(防振)のための機構を具備した際にも装置全体を小型化し、かつ振動補償時にも良好な画像が得られるズームレンズを得ることができる。また、各実施例のズームレンズは、振動補償（防振）のための機構を具備しない場合であっても、高ズーム比で所定の長さのバックフォーカスを有し、全ズーム範囲にわたり高い光学性能を有するため有用である。
【図面の簡単な説明】
【０１１７】
【図１】本発明の実施例１の広角端のズーム位置におけるレンズ断面図
【図２】本発明の実施例１の広角端のズーム位置における収差図
【図３】本発明の実施例１の望遠端のズーム位置における収差図
【図４】本発明の実施例２の広角端のズーム位置におけるレンズ断面図
【図５】本発明の実施例２の広角端のズーム位置における収差図
【図６】本発明の実施例２の望遠端のズーム位置における収差図
【図７】本発明の実施例３の広角端のズーム位置におけるレンズ断面図
【図８】本発明の実施例３の広角端のズーム位置における収差図
【図９】本発明の実施例３の望遠端のズーム位置における収差図
【図１０】本発明の実施例４の広角端のズーム位置におけるレンズ断面図
【図１１】本発明の実施例４の広角端のズーム位置における収差図
【図１２】本発明の実施例４の望遠端のズーム位置における収差図
【図１３】本発明の実施例５の広角端のズーム位置におけるレンズ断面図
【図１４】本発明の実施例５の広角端のズーム位置における収差図
【図１５】本発明の実施例５の望遠端のズーム位置における収差図
【図１６】本発明の実施例６の広角端のズーム位置におけるレンズ断面図
【図１７】本発明の実施例６の広角端のズーム位置における収差図
【図１８】本発明の実施例６の望遠端のズーム位置における収差図
【図１９】本発明の撮像装置の要部概略図
【符号の説明】
【０１１８】
Ｌ１：第１群
Ｌ２：第２群
ＬＣ：中間レンズユニット
ＬＲ：後方レンズ群
ＳＰ：絞り
ＩＰ：像面
ｄ：ｄ線
ｇ：ｇ線
ΔＳ：サジタル像面
ΔＭ：メリジオナル像面
Ｈ：像高
Ｇｉｓ：防振用のレンズ部
【図１】
2008015251.tif 000005
【図２】
2008015251.tif 000006
【図３】
2008015251.tif 000007
【図４】
2008015251.tif 000008
【図５】
2008015251.tif 000009
【図６】
2008015251.tif 000010
【図７】
2008015251.tif 000011
【図８】
2008015251.tif 000012
【図９】
2008015251.tif 000013
【図１０】
2008015251.tif 000014
【図１１】
2008015251.tif 000015
【図１２】
2008015251.tif 000016
【図１３】
2008015251.tif 000017
【図１４】
2008015251.tif 000018
【図１５】
2008015251.tif 000019
【図１６】
2008015251.tif 000020
【図１７】
2008015251.tif 000021
【図１８】
2008015251.tif 000022
【図１９】
2008015251.tif 000023